(57)【要約】【課題】吹出口と上下フラップの隙間を最小限にし意匠性の向上を図り、送風機性能、風向性能を向上した空気調和機を提供すること。【解決手段】送風ファン２と、風向きを上下に変更する上下フラップ７を備えた吹出口９と、送風ファン２から吹出口９に至る通風路を形成するスタビライザ４とを備え、吹出口９上部のスタビライザ４底面は、上下フラップ７側に凹となるよう湾曲させることにより、上下フラップ７の回転半径内にスタビライザ４が当たらないように凹ませる形状となり、上下フラップ７とスタビライザ４との距離を縮めることができ、上下フラップ７閉時でも、吹出口９の上部に隙間が出来ないようにすることができ、意匠性の向上を図り、送風機性能、風向性能を向上できる。【選択図】図１
2007040576.tif 000002
【特許請求の範囲】
【請求項１】
送風ファンと、風向きを上下に変更する上下フラップを備えた吹出口と、前記送風ファンから前記吹出口に至る通風路を形成するスタビライザとを備え、前記吹出口上部の前記スタビライザ底面は前記上下フラップ側に凹となるよう湾曲し、回動によって風向きを上下に変更する上下フラップの回動軸の位置は、吹出口上部側の前記上下フラップの端から前記回動軸までの距離Ｌ１が、前記上下フラップの両端間距離Ｌ２の少なくとも２／７以上で、且つ前記上下フラップの前記回動軸の位置は、前記吹出口上部側の開口端から前記回動軸までの距離Ｌ３が、前記吹出口の開口部両端間距離Ｌ４の少なくとも２／７以上である事を特徴とする空気調和機。
【請求項２】
空気調和機の奥行きは少なくとも空気調和機高さの２／３以下である事を特徴とする請求項１に記載の空気調和機。
【発明の詳細な説明】
【技術分野】
【０００１】
本発明は風向きを上下に変更する上下フラップを備えた空気調和機に関するものである。
【背景技術】
【０００２】
従来、この種の空気調和機は通風路を形成するスタビライザ底面は直線で示される形態となっている（例えば、特許文献１参照）。
【０００３】
図４は、特許文献１に記載された従来の空気調和機の要部縦断面図を示すものである。図４に示すように、空気調和機本体１は、送風ファン２と、ファンケース３と、スタビライザ４と、吸入グリル５と、熱交換器６と、上下フラップ７と、回動軸８と、吹出口９とから構成されている。
【特許文献１】特開２００２−２９５８８９号公報
【発明の開示】
【発明が解決しようとする課題】
【０００４】
しかしながら、前記従来の構成では、図５の上下フラップの一連の回動動作を示す要部断面図に示すように、吹出口９の上下フラップ７は回動軸８を中心に回転することで動作して風向きを上下に変更するため、上下フラップ７の回転半径内に他構造物が当たらないように構成しなければならない。即ち、上下フラップ７とスタビライザ４の距離を十分に広げなければならないため、上下フラップ７閉時でも、吹出口９の上部に隙間が出来てしまい、風向性能が上がらないという課題を有していた。
【０００５】
本発明は、前記従来の課題を解決するもので、吹出口と上下フラップの隙間を最小限にし意匠性の向上を図り、送風機性能、風向性能を向上した空気調和機を提供することを目的とする。
【課題を解決するための手段】
【０００６】
前記従来の課題を解決するために、本発明の空気調和機は、吹出口上部のスタビライザ底面を、上下フラップ側に凹となるよう湾曲させたものである。
【０００７】
これによって、上下フラップの回転半径内にスタビライザが当たらないように凹ませる形状となり、上下フラップとスタビライザとの距離を縮めることができ、上下フラップ閉時でも、吹出口の上部に隙間が出来ないようにすることができる。
【０００８】
また、本発明の空気調和機は、吹出口上部側の上下フラップの端から上下フラップの回動軸までの距離Ｌ１が、上下フラップの両端間距離Ｌ２の少なくとも２／７以上で且つ吹出口上部側の開口端から回動軸までの距離Ｌ３が、吹出口の開口部両端間距離Ｌ４の少なくとも２／７以上としたものである。
【０００９】
これによって、上下フラップは回動軸の位置が吹出口中央に近くなり、上下フラップの大きさを大きくでき、風向変更が容易となり、送風機性能、風向性能を向上できる。
【００１０】
また、上下フラップと吹出口の大きさがほぼ同程度とでき、上下フラップ閉時でも、吹出口の上部に隙間が出来ないようにすることができるので意匠性も向上できる。
【発明の効果】
【００１１】
本発明の空気調和機は、意匠性の向上を図りつつ、送風機性能、風向性能を向上した空気調和機を提供することができる。
【発明を実施するための最良の形態】
【００１２】
第１の発明は送風ファンと、風向きを上下に変更する上下フラップを備えた吹出口と、送風ファンから吹出口に至る通風路を形成するスタビライザとを備え、吹出口上部のスタビライザ底面は、上下フラップ側に凹となるよう湾曲している構成とすることにより、上下フラップの回転半径内にスタビライザが当たらないように凹ませる形状となり、上下フラップとスタビライザとの距離を縮めることができ、上下フラップ閉時でも吹出口の上部に隙間が出来ないようにすることができて、意匠性の向上を図ることができる。
【００１３】
第２の発明は、特に、第１の発明の上下フラップの回動軸の位置を、吹出口上部側の上下フラップの端から前記回動軸までの距離Ｌ１が、上下フラップの両端間距離Ｌ２の少なくとも２／７以上で且つ吹出口上部側の開口端から回動軸までの距離Ｌ３が、吹出口の開口部両端間距離Ｌ４の少なくとも２／７以上となる構成とすることにより、上下フラップは回動軸の位置が吹出口中央に近くなり、上下フラップの大きさを大きくでき、風向変更が容易となり、送風機性能、風向性能を向上でき、また、上下フラップと吹出口の大きさがほぼ同程度とでき、上下フラップ閉時でも、吹出口の上部に隙間が出来ないようにすることができるので意匠性も向上できる。
【００１４】
第３の発明は、特に、第１または第２の発明の空気調和機の奥行きは少なくとも空気調和機高さの２／３以下とすることにより、薄型の空気調和機を提供することができ、ユーザーの多様な要求に答えることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の要部縦断面図を示すものである。
【００１７】
図１において、空気調和機本体１と、送風ファン２と、ファンケース３と、スタビライザ４と、吸入グリル５と、熱交換器６と、上下フラップ７と、回動軸８と、吹出口９とから送風通路を構成している。空気は送風ファン２により、吸入グリル５から吸入され、熱交換器６で熱交換されて、ファンケース２とスタビライザ３により形成される送風通路を通り、吹出口９から、上下フラップ７によって風向調節されながら室内へ送風される。
【００１８】
以上のように構成された空気調和機について、以下その動作、作用を説明する。
【００１９】
吹出口９の上下フラップ７は回動軸８を中心に回転することで動作して風向きを上下に変更調節するため、上下フラップ７の回転半径内にスタビライザ４が当たらないように、上下フラップ７の回転軌道に沿った形状の凹部１０をスタビライザ４に設けた構成としている。
【００２０】
これによって、上下フラップ７とスタビライザ４との距離を縮めることができ、上下フラップ７閉時でも、吹出口９の上部に隙間が出来ないようにすることができ、意匠性の向上を図ることができる。
【００２１】
図２は、本発明の第１の実施の形態における空気調和機の（ａ）は上下フラップ断面図、（ｂ）は吹出口の要部縦断面図、図３は上下フラップの回転軸位置を各々変えた吹出口
の要部縦断面図を示すもので（ａ）はＬ１／Ｌ２が少なくとも２／７以上で且つＬ３／Ｌ４が少なくとも２／７以上ある場合、（ｂ）ははＬ１／Ｌ２及びＬ３／Ｌ４が２／７未満の場合を示している。
【００２２】
図３（ａ）（ｂ）の比較において、吹出口９上部側の上下フラップ７の端から回動軸８までの距離をＬ１、上下フラップ７の両端間距離をＬ２、吹出口上部側の開口端から回動軸までの距離をＬ３、吹出口の開口部両端間距離をＬ４としたとき、Ｌ１／Ｌ２及びＬ３／Ｌ４が少なくとも２／７以上となるように上下フラップ７の回動軸８の位置を決めることにより、上下フラップ７は回動軸８の位置が吹出口中央に近くなり、上下フラップ７の大きさを大きくでき、風向変更が容易となり、送風機性能、風向性能を向上できる。
【００２３】
また、上下フラップと吹出口の大きさがほぼ同程度とでき、上下フラップ閉時でも、吹出口の上部に隙間が出来ないようにすることができるので意匠性も向上できる。
【００２４】
更に、上下フラップ７の大きさを大きくできたことで送風機性能が向上するので、より遠くに熱交換した空気を送風できるから、ファンケース２の角度が浅くてほぼ垂直に近いものであっても風向性能が落ちず、空気調和機本体１の奥行きＬｂを、空気調和機高さＬａの２／３以下にすることができる。
【００２５】
以上のように、本実施の形態においては吹出口上部のスタビライザ底面を、上下フラップ側に凹となるよう湾曲させたことにより、上下フラップの回転半径内にスタビライザが当たらないように凹ませる形状となり、上下フラップとスタビライザとの距離を縮めることができ、上下フラップ閉時でも、吹出口の上部に隙間が出来ないようにすることができ、意匠性の向上を図り、送風機性能、風向性能を向上できる。
【００２６】
また、本実施の形態では吹出口上部側の上下フラップの端から上下フラップの回動軸までの距離Ｌ１が、上下フラップの両端間距離Ｌ２の少なくとも２／７以上で且つ吹出口上部側の開口端から回動軸までの距離Ｌ３が、吹出口の開口部両端間距離Ｌ４の少なくとも２／７以上としたことにより、上下フラップは回動軸の位置が吹出口中央に近くなり、上下フラップの大きさを大きくでき、風向変更が容易となり、送風機性能、風向性能を向上できる。
【００２７】
また、上下フラップと吹出口の大きさがほぼ同程度とでき、上下フラップ閉時でも、吹出口の上部に隙間が出来ないようにすることができるので意匠性も向上できる。
【００２８】
更に、本実施の形態の空気調和機の奥行きを少なくとも空気調和機高さの２／３以下とすることにより、薄型の空気調和機を提供することができ、ユーザーの多様な要求に答えることができる。
【産業上の利用可能性】
【００２９】
以上のように、本発明にかかる空気調和機は、意匠性の向上を図りつつ、送風機性能、風向性能を向上が可能となるので、通風路と上下フラップを有する送風機や除湿機、ファンヒーター等の用途にも適用できる。
【図面の簡単な説明】
【００３０】
【図１】本発明の実施の形態１における空気調和機の要部縦断面図
【図２】本発明の実施の形態１における空気調和機の（ａ）上下フラップ断面図（ｂ）吹出口の要部縦断面図
【図３】本発明の実施の形態１における上下フラップの回転軸位置が（ａ）Ｌ１／Ｌ２並びにＬ３／Ｌ４が２／７以上の際の吹出口の要部縦断面図（ｂ）Ｌ１／Ｌ２並びにＬ３／Ｌ４が２／７未満の際の吹出口の要部縦断面図
【図４】従来の空気調和機の要部縦断面図
【図５】従来の空気調和機の上下フラップの一連の回動動作を示す要部断面図
【符号の説明】
【００３１】
１  空気調和機本体
２  送風ファン
３  ファンケース
４  スタビライザ
５  吸入グリル
６  熱交換器
７  上下フラップ
８  回動軸
９  吹出口
１０  凹部
【図１】
2007040576.tif 000003
【図２】
2007040576.tif 000004
【図３】
2007040576.tif 000005
【図４】
2007040576.tif 000006
【図５】
2007040576.tif 000007